(57)【要約】【課題】  光量調整フィルターの光量調整機能の信頼性の向上を図る。【解決手段】  内部に撮像光学系が配置されたレンズ鏡筒２と、撮像光学系の光路を開閉する可動部材２６と、撮像光学系の光路となる透過孔３６ａを有し可動部材を移動自在に支持するベース体３６と、可動部材に接着され透過孔を透過される光量の調整を行う光量調整フィルター３２とを設け、可動部材に位置決め孔２６ｂ、２６ｂを形成し、光量調整フィルターを、可動部材に接着される接着部３５と、光量調整を行う光量調整部３３と、可動部材上に位置され位置決め孔に重なり合う位置合わせ孔３４ａ、３４ａを有する位置決め部３４とにより構成し、位置決め部を接着部と光量調整部との間に形成した。【選択図】図５
2006126235.tif 000002
【特許請求の範囲】
【請求項１】
内部に撮像光学系が配置されたレンズ鏡筒と、
撮像光学系の光路を開閉する可動部材と、
撮像光学系の光路となる透過孔を有し上記可動部材を移動自在に支持するベース体と、
上記可動部材に接着され上記透過孔を透過される光量の調整を行う光量調整フィルターとを備え、
上記可動部材に位置決め孔を形成し、
上記光量調整フィルターを、可動部材に接着される接着部と、光量調整を行う光量調整部と、可動部材上に位置され上記位置決め孔に重なり合う位置合わせ孔を有する位置決め部とにより構成し、
該位置決め部を接着部と光量調整部との間に形成した
ことを特徴とする撮像装置。
【請求項２】
上記接着部を基材となるベースフィルムに両面接着シートの一方の接着面を接着することにより形成した
ことを特徴とする請求項１に記載の撮像装置。
【請求項３】
上記位置決め部の位置合わせ孔を接着部から離隔した位置に形成した
ことを特徴とする請求項１に記載の撮像装置。
【請求項４】
撮像光学系の光路を開閉する可動部材と、
撮像光学系の光路となる透過孔を有し上記可動部材を移動自在に支持するベース体と、
上記可動部材に接着され透過孔を透過される光量の調整を行う光量調整フィルターとを備え、
上記可動部材に位置決め孔を形成し、
上記光量調整フィルターを、可動部材に接着される接着部と、光量調整を行う光量調整部と、可動部材上に位置され上記位置決め孔に重なり合う位置合わせ孔を有する位置決め部とにより構成し、
該位置決め部を接着部と光量調整部との間に形成した
ことを特徴とする光量調整機構。
【請求項５】
上記接着部を基材となるベースフィルムに両面接着シートの一方の接着面を接着することにより形成した
ことを特徴とする請求項４に記載の光量調整機構。
【請求項６】
上記位置決め部の位置合わせ孔を接着部から離隔した位置に形成した
ことを特徴とする請求項４に記載の光量調整機構。
【請求項７】
透過孔を有するベース体に移動自在に支持されて撮像光学系の光路を開閉し位置決め孔を有する可動部材に接着されると共に該可動部材の移動に伴って移動され透過孔を透過される光量の調整を行う光量調整フィルターであって、
上記可動部材に接着される接着部と、
光量調整を行う光量調整部と、
可動部材上に位置され上記位置決め孔に重なり合う位置合わせ孔を有する位置決め部とにより構成し、
該位置決め部を接着部と光量調整部との間に形成した
ことを特徴とする光量調整フィルター。
【請求項８】
上記接着部を基材となるベースフィルムに両面接着シートの一方の接着面を接着することにより形成した
ことを特徴とする請求項７に記載の光量調整フィルター。
【請求項９】
上記位置決め部の位置合わせ孔を接着部から離隔した位置に形成した
ことを特徴とする請求項７に記載の光量調整フィルター。
【発明の詳細な説明】
【技術分野】
【０００１】
本発明は撮像装置、光量調整機構及び光量調整フィルターについての技術分野に関する。詳しくは、光量調整フィルターの光量調整部への接着剤の付着を防止して光量調整フィルターの光量調整機能の信頼性の向上を図る技術分野に関する。
【背景技術】
【０００２】
ビデオカメラやスチルカメラ等の撮像装置には、フォーカス制御やズーミングのための各種のレンズを光軸方向へ移動させる光量調整機構を備え、該光量調整機構のアイリスを構成する可動部材（絞り羽根）を撮像光学系の光軸に対して直交する面内において駆動モーターの駆動力によって移動させることにより光学系の光路を開閉し光量調整を行うようにしたものがある。
【０００３】
このような撮像装置にあっては、被写体からの戻り光の光量が大きすぎる場合等にＣＣＤ（Charge Coupled Device）等の撮像手段に入射される光の量を制御する必要があり、一般には、この光量制御が上記したアイリスに加え、ＮＤ（Neutral Density）フィルターと称される光量調整フィルターによっても行われる。
【０００４】
ＮＤフィルターは可動部材に接着される接着部と光量調整機能を有する光量調整部とを有し、可動部材の光量調整を行うための切欠部分を光量調整部が覆うように接着部が可動部材に接着されて取り付けられ、該可動部材と一体となって移動されることにより光量調整機能を発揮する（例えば、特許文献１参照）。
【０００５】
【特許文献１】特開２００１−３５６３８６号公報
【発明の開示】
【発明が解決しようとする課題】
【０００６】
ところが、上記のように、接着により光量調整フィルターが可動部材に取り付けられる場合には、接着剤の塗布位置と光量調整部との位置関係によっては、接着剤が光量調整部に付着するおそれがあり、光量調整フィルターの機能の低下を招来する可能性があった。特に、特許文献１に記載された従来の撮像装置にあっては、接着剤として液状のものが用いられており、この場合には毛細管現象により光量調整部に接着剤が浸透するという不具合を生じるおそれがある。
【０００７】
そこで、本発明は、上記した問題点を克服し、光量調整フィルターの光量調整機能の信頼性の向上を図ることを課題とする。
【課題を解決するための手段】
【０００８】
本発明撮像装置は、上記した課題を解決するために、内部に撮像光学系が配置されたレンズ鏡筒と、撮像光学系の光路を開閉する可動部材と、撮像光学系の光路となる透過孔を有し上記可動部材を移動自在に支持するベース体と、上記可動部材に接着され上記透過孔を透過される光量の調整を行う光量調整フィルターとを設け、上記可動部材に位置決め孔を形成し、上記光量調整フィルターを、可動部材に接着される接着部と、光量調整を行う光量調整部と、可動部材上に位置され上記位置決め孔に重なり合う位置合わせ孔を有する位置決め部とにより構成し、該位置決め部を接着部と光量調整部との間に形成したものである。
【０００９】
本発明光量調整機構は、上記した課題を解決するために、撮像光学系の光路を開閉する可動部材と、撮像光学系の光路となる透過孔を有し上記可動部材を移動自在に支持するベース体と、上記可動部材に接着され透過孔を透過される光量の調整を行う光量調整フィルターとを設け、上記可動部材に位置決め孔を形成し、上記光量調整フィルターを、可動部材に接着される接着部と、光量調整を行う光量調整部と、可動部材上に位置され上記位置決め孔に重なり合う位置合わせ孔を有する位置決め部とにより構成し、該位置決め部を接着部と光量調整部との間に形成したものである。
【００１０】
本発明光量調整フィルターは、上記した課題を解決するために、撮像光学系の光路を開閉し位置決め孔を有する可動部材に接着される接着部と、光量調整を行う光量調整部と、可動部材上に位置され上記位置決め孔に重なり合う位置合わせ孔を有する位置決め部とを設け、該位置決め部を接着部と光量調整部との間に形成したものである。
【００１１】
従って、本発明撮像装置、光量調整機構及び光量調整フィルターにあっては、光量調整フィルターにおいて、光量調整部と接着部とが位置決め部が存在する分だけ離隔される。
【発明の効果】
【００１２】
本発明撮像装置は、内部に撮像光学系が配置されたレンズ鏡筒と、撮像光学系の光路を開閉する可動部材と、撮像光学系の光路となる透過孔を有し上記可動部材を移動自在に支持するベース体と、上記可動部材に接着され上記透過孔を透過される光量の調整を行う光量調整フィルターとを備え、上記可動部材に位置決め孔を形成し、上記光量調整フィルターを、可動部材に接着される接着部と、光量調整を行う光量調整部と、可動部材上に位置され上記位置決め孔に重なり合う位置合わせ孔を有する位置決め部とにより構成し、該位置決め部を接着部と光量調整部との間に形成したことを特徴とする。
【００１３】
従って、光量調整機能を有する光量調整部への接着剤の付着を防止することができ、光量調整フィルターの機能の低下を防止することができる。
【００１４】
請求項２に記載した発明にあっては、上記接着部を基材となるベースフィルムに両面接着シートの一方の接着面を接着することにより形成したので、接着剤の接着部から光量調整部側への浸透というおそれがなく、可動部材等への接着剤の付着のおそれがなく、光量調整フィルターの良好な特性を確保することができる。
【００１５】
請求項３に記載した発明にあっては、上記位置決め部の位置合わせ孔を接着部から離隔した位置に形成したので、位置合わせ孔への接着剤の付着を防止することができる。
【００１６】
本発明光量調整機構は、撮像光学系の光路を開閉する可動部材と、撮像光学系の光路となる透過孔を有し上記可動部材を移動自在に支持するベース体と、上記可動部材に接着され透過孔を透過される光量の調整を行う光量調整フィルターとを備え、上記可動部材に位置決め孔を形成し、上記光量調整フィルターを、可動部材に接着される接着部と、光量調整を行う光量調整部と、可動部材上に位置され上記位置決め孔に重なり合う位置合わせ孔を有する位置決め部とにより構成し、該位置決め部を接着部と光量調整部との間に形成したことを特徴とする。
【００１７】
従って、光量調整機能を有する光量調整部への接着剤の付着を防止することができ、光量調整フィルターの機能の低下を防止することができる。
【００１８】
請求項５に記載した発明にあっては、上記接着部を基材となるベースフィルムに両面接着シートの一方の接着面を接着することにより形成したので、接着剤の接着部から光量調整部側への浸透というおそれがなく、可動部材等への接着剤の付着のおそれがなく、光量調整フィルターの良好な特性を確保することができる。
【００１９】
請求項６に記載した発明にあっては、上記位置決め部の位置合わせ孔を接着部から離隔した位置に形成したので、位置合わせ孔への接着剤の付着を防止することができる。
【００２０】
本発明光量調整フィルターは、透過孔を有するベース体に移動自在に支持されて撮像光学系の光路を開閉し位置決め孔を有する可動部材に接着されると共に該可動部材の移動に伴って移動され透過孔を透過される光量の調整を行う光量調整フィルターであって、上記可動部材に接着される接着部と、光量調整を行う光量調整部と、可動部材上に位置され上記位置決め孔に重なり合う位置合わせ孔を有する位置決め部とにより構成し、該位置決め部を接着部と光量調整部との間に形成したことを特徴とする。
【００２１】
従って、光量調整機能を有する光量調整部への接着剤の付着を防止することができ、光量調整フィルターの機能の低下を防止することができる。
【００２２】
請求項８に記載した発明にあっては、上記接着部を基材となるベースフィルムに両面接着シートの一方の接着面を接着することにより形成したので、接着剤の接着部から光量調整部側への浸透というおそれがなく、可動部材等への接着剤の付着のおそれがなく、光量調整フィルターの良好な特性を確保することができる。
【００２３】
請求項９に記載した発明にあっては、上記位置決め部の位置合わせ孔を接着部から離隔した位置に形成したので、位置合わせ孔への接着剤の付着を防止することができる。
【発明を実施するための最良の形態】
【００２４】
以下に、本発明撮像装置、光量調整機構及び光量調整フィルターを実施するための最良の形態を添付図面に従って説明する。以下に示す最良の形態は、本発明撮像装置をビデオカメラに適用し、本発明光量調整機構をこのビデオカメラに用いられた光量調整フィルターに適用し、本発明光量調整フィルターをこのビデオカメラに用いられた光量調整フィルターに適用したものである。尚、本発明の適用範囲はビデオカメラ又はビデオカメラに用いられたものに限られることはなく、本発明は、スチルカメラの他、動画撮影又は静止画撮影の機能を有する各種の撮像装置又はこれらの撮像装置に用いられた各種の光量調整機構及び光量調整フィルターに適用することができる。
【００２５】
先ず、撮像装置（ビデオカメラ）の基本構成を説明する（図１参照）。
【００２６】
撮像装置１は、外筐として設けられたレンズ鏡筒２に所要の各部が配置されて成り、レンズ鏡筒２には、レンズ又はレンズ群３（図には単レンズとして簡略化して示す。）と、固体撮像素子等の撮像手段４と、光量調整機能を有する光量調整機構５とが設けられている。
【００２７】
光量調整機構５を構成する一対の可動部材６、６は駆動モーター７の駆動力によって移動され、可動部材６、６が移動されることにより光学系の光路が開閉される。駆動モーター７としては、例えば、ローターがステーターの内側に配置された所謂インナーローター型のモーターが用いられ、駆動モーター７の駆動力が可動部材６、６に伝達されて該可動部材６、６が移動される。
【００２８】
被写体からレンズ又はレンズ群３を通った光は、一対の可動部材６、６として設けられた絞り羽根やシャッター部材によって形成される開口を通して撮像手段４に入射される。尚、光量調整時には、可動部材６、６が光軸ＯＬに直交する面内で並進移動されるが、本発明の適用においては、可動部材の数や形状等の如何は問わず、１つ又は複数の可動部材を用いた各種形態での実施が可能である。
【００２９】
次に、撮像装置の具体的な構成例について説明する（図２乃至図８参照）。
【００３０】
撮像装置８のレンズ鏡筒９には、図２に示すように、被写体側から順に、対物レンズ１０、変倍レンズ１１、レンズ１２、光量調整機構１３、駆動モーター１４、フォーカスレンズ１５及び固体撮像素子１６が配置されている。
【００３１】
レンズ鏡筒９の内部には、光量調整機構１３を挟んで光軸ＯＬ方向における互いに反対側の位置に、それぞれ光軸ＯＬに対して平行なガイドバー１７、１７とガイドバー１８、１８が配置されている。
【００３２】
変倍レンズ１１はホルダー１９に保持されており、該ホルダー１９がガイドバー１７、１７に摺動自在に支持されている。ホルダー１９に保持された変倍レンズ１１は、変倍レンズ用駆動部２０の駆動力がホルダー１９に伝達されることにより光軸ＯＬに沿う方向へ移動される。
【００３３】
フォーカスレンズ１５はホルダー２１に保持されており、該ホルダー２１がガイドバー１８、１８に摺動自在に支持されている。ホルダー２１に保持されたフォーカスレンズ１５は、フォーカスレンズ用駆動部２２の駆動力がホルダー２１に伝達されることにより光軸ＯＬに沿う方向へ移動される。
【００３４】
固体撮像素子１６によって得られる画像出力は画像処理部２３に送出されて所定の処理が行われる。画像処理部２３は、制御等に必要な情報を演算処理部２４に送出したり、撮影画像をビユーファインダーやモニター等に送って表示させ、或いは、ユーザーの操作指示に従って画像情報等を記録媒体に記録させる。マイクロコンピュータ等を有する演算処理部２４は、制御部２５に制御指令信号を送出し、該制御部２５から駆動モーター１４、変倍レンズ用駆動部２０及びフォーカスレンズ用駆動部２２等に制御信号が入力されることによって各部が制御される。
【００３５】
光量調整機構１３は、図３に示すように、一対の絞り羽根として機能する可動部材２６、２７を有しており、該可動部材２６、２７が移動されることにより入射光量の調整が行われる。光量調整機構１３はレンズ鏡筒９の外周面から突出されることなく、レンズ鏡筒９の内部に組み込まれているため、他の部品との干渉の問題に煩わされることがなく、小型化やコンパクト化に好適である。
【００３６】
可動部材２６は主部２８と該主部２８の左右両端部からそれぞれ下方へ突出された突部２９、２９とが一体に形成されて成る。可動部材２６には下方に開口された開口用切欠２６ａが形成されている。
【００３７】
主部２８には、一方の側縁に上下に長い被案内孔２８ａが形成され、上端部に左右に長い摺動孔２８ｂが形成されている。
【００３８】
突部２９、２９にはそれぞれ上下に長い被案内孔２９ａ、２９ａが形成されている。
【００３９】
可動部材２６の開口用切欠２６ａの開口縁の近傍には、被案内孔２９ａ、２９ａの並び方向に離隔して位置決め孔２６ｂ、２６ｂが形成されている。一方の位置決め孔２６ｂは円形状に形成され、他方の位置決め孔２６ｂは長孔に形成されている。
【００４０】
可動部材２７は主部３０と該主部３０の一方の側縁部から上方へ突出された突部３１とが一体に形成されて成る。可動部材２７には上方に開口された開口用切欠２７ａが形成されている。主部３０には、左右両側縁にそれぞれ上下に長い被案内孔３０ａ、３０ａが形成されている。
【００４１】
突部３１には上下に長い被案内孔３１ａが形成されている。突部３１の上端部には左右に長い摺動孔３１ｂが形成されている。
【００４２】
可動部材２６には、それぞれ光量調整フィルター３２が取り付けられる（図４参照）。尚、光量調整フィルター３２は可動部材２６又は可動部材２７の何れか一方に取り付けられていればよいが、以下には、例として、光量調整フィルターが可動部材２６に取り付けられている場合を示す。
【００４３】
光量調整フィルター３２は、例えば、台形状に形成され、平行な長辺部３２ａ、短辺部３２ｂと長辺部３２ａに近付くに従って互いに離隔する傾斜辺部３２ｃ、３２ｃとによって外形が形成される（図５参照）。
【００４４】
光量調整フィルター３２は光量調整部３３と位置決め部３４と接着部３５とによって構成されている。
【００４５】
光量調整部３３は台形状にされ、光吸収特性を有する金属材料、例えば、クロムが基材となる後述する透明なベースフィルム、例えば、ＰＥＴ（ポリエチレンテレフタレート）に蒸着又はスパッタリングにより形成されている。光量調整部３３は一側縁が長辺部３２ａにおける両端部を除く部分に一致されている。
【００４６】
位置決め部３４は光量調整部３３の外側に連続して形成され、光量調整部３３の３辺を囲むように位置されている。位置決め部３４は上記した基材となるベースフィルムの一部により構成され、傾斜された２つの部分にそれぞれ位置合わせ孔３４ａ、３４ａを有している。一方の位置合わせ孔３４ａは円形状に形成され、他方の位置合わせ孔３４ａは長孔に形成されている。
【００４７】
接着部３５は位置決め部３４の外側に連続して形成され、位置決め部３４の３辺を囲むように位置されている。接着部３５は上記した基材となるベースフィルムに両面接着シートが接着されることにより構成され、３つの側縁がそれぞれ短辺部３２ｂと傾斜辺部３２ｃ、３２ｃとに一致されている。
【００４８】
光量調整フィルター３２は、それぞれ位置合わせ孔３４ａ、３４ａが位置決め孔２６ｂ、２６ｂに重ね合わされた状態で、接着部３５が接着されることにより可動部材２６に取り付けられている（図６参照）。光量調整フィルター３２が可動部材２６に取り付けられた状態においては、開口用切欠２６ａの一部が光量調整部３３に覆われた状態とされている。
【００４９】
可動部材２６、２７はそれぞれベース体３６に上下方向へ移動自在に支持される（図７及び図８参照）。
【００５０】
ベース体３６は縦長の略矩形状に形成され、略中央部に撮像光学系の光路となる透過孔３６ａを有し、光学系の光軸ＯＬが透過孔３６ａの中心を通る位置に設定されている。ベース体３６には円弧状を為す挿通孔３６ｂ、３６ｂが形成されている。
【００５１】
ベース体３６には前方へ突出された４つの案内ピン３７、３７、・・・が設けられている。
【００５２】
ベース体３６の３つの案内ピン３７、３７、３７は、それぞれ可動部材２６の被案内孔２８ａ、２９ａ、２９ａに挿入されて摺動自在に係合される。また、ベース体３６の３つの案内ピン３７、３７、３７は、それぞれ可動部材２７の被案内孔３０ａ、３０ａ、３１ａに挿入されて摺動自在に係合される。即ち、２つの案内ピン３７、３７は可動部材２６の被案内孔２９ａ、２９ａと可動部材２７の被案内孔３０ａ、３０ａとに係合され、別の案内ピン３７は可動部材２６の被案内孔２８ａのみに係合され、また別の案内ピン３７は可動部材２７の被案内孔３１ａのみに係合される。
【００５３】
ベース体３６に可動部材２６、２７が支持された状態において、可動部材２６、２７を閉塞するカバー体３８がベース体３６に取り付けられる（図７参照）。カバー体３８は縦長の略矩形状に形成され、カバー体３８の中央部には大きな開口部３８ａが形成されている。カバー体３８がベース体３６に取り付けられた状態において、カバー体３８の開口部３８ａの中心とベース体３６の透過孔３６ａの中心とが光軸ＯＬ方向において一致される。
【００５４】
ベース体３６の後方には駆動モーター１４が配置される（図７及び図８参照）。駆動モーター１４はモーター軸１４ａが前後に延びる向きで配置されている。駆動モーター１４のモーター軸１４ａには回動アーム３９が固定されている。
【００５５】
回動アーム３９はアーム部３９ａと該アーム部３９ａの両端部に設けられた係合ピン３９ｂ、３９ｂとから成る。アーム部３９ａは、長手方向における中央部がモーター軸１４ａに固定され、該モーター軸１４ａの軸方向と直交する方向へ延びるように設けられている。係合ピン３９ｂ、３９ｂはアーム部３９ａから前方へ突出するように設けられている。
【００５６】
駆動モーター１４がベース体３６の後側に配置された状態においては、回動アーム３９の係合ピン３９ｂ、３９ｂがそれぞれベース体３６の挿通孔３６ｂ、３６ｂに挿通されて可動部材２６、２７の摺動孔２８ｂ、３１ｂにそれぞれ摺動自在に係合される。
【００５７】
以下に、駆動モーター１４の回転に伴う可動部材２６、２７の動作について説明する（図９及び図１０参照）。尚、図９及び図１０は、光量調整フィルター３２を省略して示している。
【００５８】
回動アーム３９の係合ピン３９ｂ、３９ｂがそれぞれ可動部材２６、２７の摺動孔２８ｂ、３１ｂに係合されることにより、駆動モーター１４の回転に伴って回動アーム３９が回動されると、可動部材２６、２７が案内ピン３７、３７、・・・に案内されて互いに離接する方向（上下方向）へ並進移動される。
【００５９】
このとき駆動モーター１４が一方の方向へ回転されると、図９に示すように、可動部材２６、２７が互いに離れる方向へ移動され、可動部材２６、２７の開口用切欠２６ａ、２７ａによって形成される開口４０の面積が大きくなり透過孔３６ａが開放されていくことにより入射光量が増加する。逆に、回動アーム３９が、他方の方向へ回転されると、図１０に示すように、可動部材２６、２７が互いに近づく方向へ移動され、可動部材２６、２７の開口用切欠２６ａ、２７ａによって形成される開口４０の面積が小さくなり透過孔３６ａが閉塞されていくことにより入射光量が減少する。
【００６０】
従って、ベース体３６の透過孔３６ａを透過する光については、可動部材２６、２７による開口４０の大きさによって光量調整が行われる。
【００６１】
また、可動部材２６、２７が上記のように移動されるときには、可動部材２６の移動に伴って光量調整フィルター３２も移動されてベース体３６の透過孔３６ａが開閉される。従って、可動部材２６、２７による他、光量調整フィルター３２によっても光量調整が行われる。
【００６２】
以下に、光量調整フィルター３２の成形手順及び光量調整フィルター３２の可動部材２６への取付手順について説明する（図１１乃至図１７参照）。
【００６３】
先ず、受け台４１、ベースフィルム４２及びマスク４３を用意する（図１１参照）。受け台４１には取付ピン４１ａ、４１ａが設けられ、ベースフィルム４２及びマスク４３にはそれぞれ被取付孔４２ａ、４２ａ、４３ａ、４３ａが形成されている。ベースフィルム４２は光量調整フィルター３２の基材となるフィルムである。
【００６４】
マスク４３には複数の膜付け孔４３ｂ、４３ｂ、・・・が規則的に形成されている。膜付け孔４３ｂ、４３ｂ、・・・は光量調整部３３、３３、・・・を形成するための部分であり、台形状に形成されている。
【００６５】
受け台４１の取付ピン４１ａ、４１ａをベースフィルム４２の被取付孔４２ａ、４２ａ及びマスク４３の被取付孔４３ａ、４３ａに順に挿入し、受け台４１上にベースフィルム４２及びマスク４３を順に載置する。
【００６６】
次に、マスク４３の膜付け孔４３ｂ、４３ｂ、・・・を用いてベースフィルム４２上に金属蒸着を行い、光量調整部３３、３３、・・・を形成する（図１２参照）。光量調整部３３、３３、・・・を形成した後、受け台４１からベースフィルム４２及びマスク４３を取り外す。
【００６７】
次いで、両面接着シート４４を用意する（図１３参照）。両面接着シート４４には被取付孔４４ａ、４４ａが形成されている。両面接着シート４４は両面接着部４５を挟んで剥離紙４６、４７が積層されて成り（図１４参照）、剥離紙４６を剥がすと両面接着部４５の第１の接着面４５ａが露出され、剥離紙４７を剥がすと両面接着部４５の第２の接着面４５ｂが露出される。
【００６８】
両面接着シート４４には複数の逃げ孔４４ｂ、４４ｂ、・・・が規則的に形成されている（図１３参照）。逃げ孔４４ｂ、４４ｂ、・・・は光量調整部３３、３３、・・・に対応した位置に形成され、該光量調整部３３、３３、・・・より一回り大きな台形状に形成されている。
【００６９】
受け台４１の取付ピン４１ａ、４１ａを両面接着シート４４の被取付孔４４ａ、４４ａ及び光量調整部３３、３３、・・・が形成されたベースフィルム４２の被取付孔４２ａ、４２ａに順に挿入し、受け台４１上に両面接着シート４４及びベースフィルム４２を順に載置する。このとき両面接着シート４４の剥離紙４６を剥がしておき、ベースフィルム４２に第１の接着面４５ａが接着されるようにする。
【００７０】
次に、プレス成形により、ベースフィルム４２と両面接着シート４４を打ち抜いて光量調整フィルター３２を形成する（図１５参照）。打抜を行う部分は、図１６に１点鎖線で示す部分であり、光量調整部３３より大きな外形の部分である。このとき位置合わせ孔３４ａ、３４ａを形成するための打抜を同時に行う（位置合わせ孔３４ａ、３４ａを形成するための打抜部分を図１６に点線で示す。）。尚、プレス成形後には剥離紙４７を剥がして両面接着部４５の第２の接着面４５ｂを露出させ、光量調整フィルター３２を可動部材２６に接着可能な状態とする。
【００７１】
次いで、取付台４８を用意する（図１７参照）。取付台４８には位置決めピン４８ａ、４８ａが設けられている。
【００７２】
取付台４８の位置決めピン４８ａ、４８ａを可動部材２６の位置決め孔２６ｂ、２６ｂ及び光量調整フィルター３２の位置合わせ孔３４ａ、３４ａに順に挿入し、取付台４８上に可動部材２６及び光量調整フィルター３２を順に載置する。このとき光量調整フィルター３２の両面接着シート４４の剥離紙４７が剥がされているため、両面接着部４５の第２の接着面４５ｂが可動部材２６に接着され、光量調整フィルター３２が可動部材２６に取り付けられる。
【００７３】
以上に記載した通り、撮像装置１にあっては、光量調整フィルター３２を、可動部材２６に接着される接着部３５と、光量調整を行う光量調整部３３と、可動部材２６上に位置され該可動部材２６の位置決め孔２６ｂ、２６ｂに重なり合う位置合わせ孔３４ａ、３４ａを有する位置決め部３４とにより構成し、該位置決め部３４を接着部３５と光量調整部３３との間に形成している。
【００７４】
従って、光量調整機能を有する光量調整部３３への接着剤の付着を防止することができ、光量調整フィルター３２の機能の低下を防止することができる。
【００７５】
また、光量調整フィルター３２の可動部材２６への接着を両面接着シート４４により行っているため、接着剤の接着部３５から光量調整部３３側への浸透というおそれがなく、可動部材２６や受け台４１、取付台４８への接着剤の付着のおそれがなく、光量調整フィルター３２の良好な特性を確保することができる。特に、受け台４１及び取付台４８への接着剤の付着のおそれがないため、引き続いて受け台４１や取付台４８に載置されるベースフィルム４２、マスク４３、両面接着シート４４、可動部材２６及び光量調整フィルター３２への接着剤の付着を防止することができる。
【００７６】
さらに、光量調整フィルター３２の位置合わせ孔３４ａ、３４ａを接着部３５から離隔した位置に形成しているため、位置合わせ孔３４ａ、３４ａへの接着剤の付着を防止することができ、取付台４８の位置決めピン４８ａ、４８ａへの接着剤の付着が防止され、引き続いて取付台４８に載置される可動部材２６及び光量調整フィルター３２への接着剤の付着を防止することができる。
【００７７】
尚、上記には、ベースフィルム４２の一方の面に金属蒸着により光量調整部３３を形成した光量調整フィルター３２を例とし示したが、光量調整フィルターはベースフィルム４２の一方の面に光量調整部３３が形成されているものに限られることはなく、光量調整部３３がベースフィルム４２の両面に形成されているものであってもよい。
【００７８】
また、上記には、図１１等に示すように、一度に４つの光量調整フィルター３２、３２、・・・を形成する方法を示したが、光量調整フィルター３２の一度の形成数は４つに限られることはなく任意である。
【００７９】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００８０】
【図１】図２乃至図１７と共に本発明の最良の形態を示すものであり、本図は、撮像装置の基本構成を示す概念図である。
【図２】撮像装置の構成例を示す断面図である。
【図３】可動部材の拡大正面図である。
【図４】可動部材と光量調整フィルターを示す分解斜視図である。
【図５】光量調整フィルターの拡大正面図である。
【図６】可動部材に光量調整フィルターが取り付けられた状態を示す正面図である。
【図７】光量調整機構の分解斜視図である。
【図８】光量調整機構の拡大斜視図である。
【図９】図１０と共に可動部材の動作を示すものであり、本図は透過孔が開放された状態を示す拡大正面図である。
【図１０】透過孔が閉塞された状態を示す拡大正面図である。
【図１１】図１２乃至図１７と共に光量調整フィルターの成形手順及び光量調整フィルターの可動部材への取付手順を説明するものであり、本図は受け台、ベースフィルム及びマスクが用意された状態を示す斜視図である。
【図１２】ベースフィルムに光量調整部が形成された状態を示す斜視図である。
【図１３】受け台、両面接着シート及び光量調整部が形成されたベースフィルムが用意された状態を示す斜視図である。
【図１４】両面接着シートの一部を示す拡大断面図である。
【図１５】成形された光量調整フィルターを示す拡大斜視図である。
【図１６】光量調整部が形成されたベースフィルムと両面接着シートの切断位置を示す拡大分解斜視図である。
【図１７】光量調整フィルターが可動部材に取り付けられる状態を示す分解斜視図である。
【符号の説明】
【００８１】
１…撮像装置、２…レンズ鏡筒、５…光量調整機構、６…可動部材、８…撮像装置、９…レンズ鏡筒、１３…光量調整機構、２６…可動部材、２６ｂ…位置決め孔、２７…可動部材、３２…光量調整フィルター、３３…光量調整部、３４…位置決め部、３４ａ…位置合わせ孔、３５…接着部、３６…ベース体、３６ａ…透過孔、４４…両面接着シート、４５ａ…第１の接着面
【図１】
2006126235.tif 000003
【図２】
2006126235.tif 000004
【図３】
2006126235.tif 000005
【図４】
2006126235.tif 000006
【図５】
2006126235.tif 000007
【図６】
2006126235.tif 000008
【図７】
2006126235.tif 000009
【図８】
2006126235.tif 000010
【図９】
2006126235.tif 000011
【図１０】
2006126235.tif 000012
【図１１】
2006126235.tif 000013
【図１２】
2006126235.tif 000014
【図１３】
2006126235.tif 000015
【図１４】
2006126235.tif 000016
【図１５】
2006126235.tif 000017
【図１６】
2006126235.tif 000018
【図１７】
2006126235.tif 000019